(57)【要約】【課題】設置の手間を低減することができる照明装置を提供する。【解決手段】照明装置は、本体部１と化粧枠部３とを備える。本体部１は、天井板５に設けられた設置穴５０に埋め込まれるケース部１１、ケース部１１の内側に発光装置２が取り付けられる取り付け部１６、ケース部１１の内側に設けられた複数のフック部１５、及び、設置穴５０の周縁部の天井板５を、ケース部１１の下端に形成されたフランジ部１１１と挟み込むことによりケース部１１を天井板５に固定する固定部１３を有する。化粧枠部３は、天井板５において露出されたフランジ部１１１を覆う化粧枠３１、化粧枠３１の内周部３１０から上方に立ち上がる反射板３２、及び、複数のフック部１５にそれぞれ引っ掛けられる複数のばね部３３を有し、本体部１が天井板５に固定された状態で、本体部１に対して着脱可能に構成される。【選択図】図１
2015207447.tif 000002
【特許請求の範囲】
【請求項１】
天井板に設けられた設置穴に埋め込まれるケース部、前記ケース部の内側に発光装置が取り付けられる取り付け部、前記ケース部の内側に設けられた複数のフック部、及び、前記設置穴の周縁部の前記天井板を、前記ケース部の下端に形成されたフランジ部と挟み込むことにより、前記ケース部を前記天井板に固定する固定部を有する本体部と、
前記天井板において露出された前記フランジ部を覆う化粧枠、前記化粧枠の内周部から上方に立ち上がる反射板、及び、前記複数のフック部にそれぞれ引っ掛けられる複数のばね部を有し、前記本体部が前記天井板に固定された状態で、前記本体部に対して着脱可能に構成された化粧枠部と
を備えることを特徴とする照明装置。
【請求項２】
前記複数のばね部は、第１ばね部及び第２ばね部を有し、
前記化粧枠部は、第１ばね部を回転可能に保持する保持部を有し、
前記反射板は、前記第１ばね部が第１フック部に引っ掛けられた状態で、前記化粧枠部が前記保持部を回転軸として前記第１ばね部に対して相対的に回転され、第２ばね部を第２フック部に引っ掛けることができる高さ及び外径を有することを特徴とする請求項１に記載の照明装置。
【請求項３】
前記複数のばね部は、前記反射板と前記ケース部との間に配置されることを特徴とする請求項１又は請求項２に記載の照明装置。
【請求項４】
前記化粧枠は、前記設置穴に対応する貫通孔を有し、前記天井板の下面に貼付されるシートのうち、前記貫通孔の端部を収容する収容部を有することを特徴とする請求項１〜３のいずれか１項に記載の照明装置。
【発明の詳細な説明】
【技術分野】
【０００１】
本発明は、天井等に埋め込み可能な照明装置に関する。
【背景技術】
【０００２】
天井等に埋め込み可能な照明装置として、例えば特許文献１に記載のような照明器具が一般に知られている。この照明器具は、光源が設置された筒状の器具本体、器具本体に一体に設けられた化粧枠、器具本体を天井に支持する支持具、支持具を保持する保持部材を備える。
【先行技術文献】
【特許文献】
【０００３】
【特許文献１】特開２０１０−１００４５号公報
【発明の概要】
【発明が解決しようとする課題】
【０００４】
特許文献１に記載の技術は、照明器具を天井に取り付けた後、天井に内装シートを貼る場合において、一般に、照明器具を天井から外し、仮設照明を配置し、内装シートを貼った後に再度照明器具を設置する必要がある。
本発明は、上記問題点を鑑み、設置の手間を低減することができる照明装置を提供することを目的とする。
【課題を解決するための手段】
【０００５】
上記目的を達成するために、本発明の第１の態様は、天井板に設けられた設置穴に埋め込まれるケース部、ケース部の内側に発光装置が取り付けられる取り付け部、ケース部の内側に設けられた複数のフック部、及び、設置穴の周縁部の天井板を、ケース部の下端に形成されたフランジ部と挟み込むことによりケース部を天井板に固定する固定部を有する本体部と、天井板において露出されたフランジ部を覆う化粧枠、化粧枠の内周部から上方に立ち上がる反射板、及び、複数のフック部にそれぞれ引っ掛けられる複数のばね部を有し、本体部が天井板に固定された状態で、本体部に対して着脱可能に構成された化粧枠部とを備える照明装置であることを要旨とする。
【発明の効果】
【０００６】
本発明によれば、設置の手間を低減することができる照明装置を提供することができる。
【図面の簡単な説明】
【０００７】
【図１】本発明の実施の形態に係る照明装置の構成を説明する断面図である。
【図２】本発明の実施の形態に係る照明装置の構成を説明する、一部を正面図として示す断面図である。
【図３】本発明の実施の形態に係る照明装置の化粧枠部の構成を説明する側面図である。
【図４】本発明の実施の形態に係る照明装置の化粧枠部の構成を説明する正面図である。
【図５】本発明の実施の形態に係る照明装置の設置方法を説明する正面図である。
【図６】本発明の実施の形態に係る照明装置の設置方法を説明する正面図である。
【図７】本発明の実施の形態に係る照明装置の設置方法を説明する正面図である。
【図８】本発明の実施の形態に係る照明装置の設置方法を説明する断面図である。
【図９】本発明の実施の形態に係る照明装置の設置方法を説明する断面図である。
【図１０】本発明の実施の形態に係る照明装置の設置方法を説明する断面図である。
【図１１】本発明の実施の形態に係る照明装置の化粧枠の構成を説明する拡大断面図である。
【図１２】（ａ）〜（ｃ）は、一般的な照明装置が設置された建物において内装を施工する方法を説明する正面図である。
【発明を実施するための形態】
【０００８】
次に、図面を参照して、本発明の実施の形態を説明する。以下の図面の記載において、同一又は類似の部分には同一又は類似の符号を付し、重複する説明を省略している。
【０００９】
（照明装置）
本発明の実施の形態に係る照明装置は、図１に示すように、本体部１と、本体部１に取り付けられる発光装置２と、本体部１に脱着可能な化粧枠部３とを備える。本発明の実施の形態に係る照明装置は、例えば、建物の天井板５等に埋め込み可能な照明装置である。本体部１及び化粧枠部３の主な材料は、発光装置２の発光に伴い発生する熱に対して耐性があればよく、例えば、鋼鉄、樹脂、アルミニウム等を採用可能である。
【００１０】
発光装置２は、例えば、発光ダイオード（ＬＥＤ）電球、電球型蛍光灯、白熱電球等である。図１に示す例において、発光装置２はレフ型のＬＥＤ電球である。発光装置２は、例えば、発光素子を内部に有する発光部２１と、発光部２１の発光に必要な回路を保持する回路部２２と、本体部１に取り付けられることにより、発光部２１の発光に必要な電力が供給される口金部２３とを備える。
【００１１】
本体部１は、天井板５に設けられた貫通孔である設置穴５０に埋め込まれるケース部１１と、ケース部１１の内側に発光部２１が位置するように発光装置２が取り付け可能な取り付け部１６と、複数のフック部１５Ａ，１５Ｂと、複数の固定部１３とを備える。設置穴５０は、天井板５の片面から他面に貫通する貫通孔である。
【００１２】
ケース部１１は、概略として上端側が閉塞された円筒状である。ケース部１１は、図２に示すように、それぞれ内側から外側に貫通し、発光装置２の発光により発生する熱を外側に逃がす複数の通気口１２を上部に有する。ケース部１１は、下端において側壁から外側方向に突出するように形成されたリング状のフランジ部１１１を有する。フランジ部１１１は、上面が天井板５と接するように平板状に形成される。設置穴５０の直径は、ケース部１１の側壁の外径より大きく、フランジ部１１１の外径より小さい。ケース部１１は、複数の固定部１３がそれぞれ垂直方向に摺動する複数のスリット１４２を有する。スリット１４２は、ケース部１１の側壁を片面から他面に貫通するように形成される。
【００１３】
取り付け部１６は、ケース部１１の上端面から上方に突出するように設けられる。取り付け部１６は、発光装置２の口金部２３と電気的に接続するソケットにより構成される。取り付け部１６は、口金部２３がケース部１１の内側からスクリュー等により挿入されることにより、発光装置２が取り付けられる。
【００１４】
フック部１５Ａ，１５Ｂは、ケース部１１の内側壁に、それぞれ一対に設けられる。但し、図２において、フック部１５Ａ，１５Ｂは、それぞれ片方のフック部１５Ａ，１５Ｂのみが図示されている。それぞれ一対のフック部１５Ａ，１５Ｂは、ケース部１１の内側において、互いに対となるフック部１５Ａ，１５Ｂに向かって突出するように形成されたそれぞれ一対のフック１５１を有する。フック１５１は、例えば、ケース部１１の側壁にＵ字型に貫通するスリットを複数形成し、各スリットの内側をケース部１１の内側に立ち上がらせることにより形成される。これにより、フック部１５Ａ，１５Ｂは、フック１５１の形跡としてケース部１１の側壁を貫通する貫通孔１５２を有する。
【００１５】
固定部１３は、設置穴５０の周縁部の天井板５をフランジ部１１１と挟み込むことにより、ケース部１１を天井板５に固定する。固定部１３は、各スリット１４２においてケース部１１の内側から外側に及ぶように配置される。固定部１３は、それぞれ、アーム部１３１と、アーム部１３１の一端側に形成された摺動部１３２と、板ばね等からなる押さえ部１３３と、アーム部１３１の他端側に形成されたストッパ部１３４とを備える。
【００１６】
アーム部１３１は、ストッパ部１３４がケース部１１の内側に配置されることにより、ケース部１１の外側方向に脱落しないように構成される。アーム部１３１は、ケース部１１が下方から設置穴５０に挿入される場合において、フランジ部１１１が天井板５の下面まで到達することを阻害しないように、摺動部１３２側が下方を向くように傾斜し、スリット１４２に収まるように構成される。アーム部１３１は、ストッパ部１３４近傍を回転軸として、所定の範囲で回転可能に構成される。
【００１７】
摺動部１３２は、ケース部１１が設置穴５０に埋め込まれた後、固定部１３が下方に摺動された場合において、天井板５の上面に当接する。摺動部１３２は、天井板５の上面に当接する場合において、天井板５の上面を傷つけないように摺動するように、湾曲した板ばね等から構成される。
【００１８】
押さえ部１３３は、ケース部１１が設置穴５０に埋め込まれた後、固定部１３が下方に摺動された場合において、アーム部１３１が天井板５の上面を下方に押さえるように、弾性力によりアーム部１３１に力を加える。固定部１３は、アーム部１３１が押さえ部１３３に力を加えられることにより、天井板５を両面側からフランジ部１１１と挟み込み、本体部１を天井板５に固定する。
【００１９】
ストッパ部１３４は、ケース部１１の内側壁との間に配置された板ばね１４１の弾性力により、スリット１４２におけるケース部１１との相対位置が固定される。板ばね１４１は、固定部１３が人の力により摺動可能な程度の力で、ストッパ部１３４のスリット１４２における位置を固定する。
【００２０】
化粧枠部３は、本体部１が天井板５に固定された状態で、本体部１に対して着脱可能に構成される。化粧枠部３は、図３及び図４に示すように、天井板５において露出されたフランジ部１１１を覆うように形成された化粧枠３１と、発光装置２から発せられた光を反射する反射板３２と、複数のばね部３３Ａ，３３Ｂとを備える。
【００２１】
化粧枠３１は、フランジ部１１１の形状に対応したリング状の枠である。化粧枠３１は、平面パターン上、フランジ部１１１のパターンより広いパターンを有する。化粧枠３１の内周部３１０に囲まれた領域は、機械的に貫通していてもよく、光を透過する材料からなるカバーが配置されていてもよい。
【００２２】
反射板３２は、概略として、上端及び下端を開口する円筒状である。反射板３２は、化粧枠３１の内周部３１０近傍から上方に高さＴまで立ち上がるように形成される。反射板３２の下端における開口部の直径は、反射板３２の下端が化粧枠３１に覆われるように、内周部３１０直径とほぼ等しくなるように形成される。反射板３２は、上端における外径Ｗが、下端における外径よりも小さく形成されることにより、下方に向かう程、内径が広くなる錐台状に形成される。
【００２３】
ばね部３３Ａ，３３Ｂ（以下、総称する場合において単にばね部「３３」という）は、それぞれ、概略としてＵ字型屈曲されたワイヤーからなる。ばね部３３Ａ，３３Ｂは、それぞれ両端側が、化粧枠３１に固定された保持部３４Ａ，３４Ｂに保持され、先端部３３１が上方を向くように、反射板３２の外側に垂直に配置される。ばね部３３Ａ，３３Ｂは、化粧枠３１の上面における両端側に、互いに対向するように配置される。ばね部３３Ａ，３３Ｂは、保持部３４Ａ，３４Ｂに保持された箇所を回転軸として、垂直方向から互いに離れる方向に所定の範囲で回転可能に保持される。
【００２４】
ばね部３３は、先端部３３１から下方に向けて順に、一対の第１突起部３３２、一対の第２突起部３３３及び一対の傾斜部３３４をそれぞれ有する。ばね部３３は、それぞれ一対の第１突起部３３２及び第２突起部３３３において、互いに離れる方向に突出するように屈曲されている。一対の傾斜部３３４は、下方に向かう程、互いの間の距離が短くなるように傾斜する。ばね部３３は、先端部３３１を通る鉛直面を対称の中心とする鏡像対称性を有する。ばね部３３は、第１突起部３３２及び第２突起部３３３が形成されることにより、それぞれ、フック部１５Ａ，１５Ｂにより多段的に引っ掛けられることができる。
【００２５】
−設置方法−
以下、本発明の実施の形態に係る照明装置を建物の天井に設置する方法を説明する。
先ず、図５に示すように、本体部１は、下方から天井板５に設けられた設置穴５０に挿入される。本体部１は、発光装置２が取り付け部１６に取り付けられた状態でもよく、発光装置２が取り付け部１６に取り付けられていない状態でもよい。
【００２６】
次に、図６に示すように、フランジ部１１１の上面が、設置穴５０の周縁部の天井板５に当接した状態で、固定部１３が下方に摺動されることにより、設置穴５０の周縁部の天井板５は、フランジ部１１１及びアーム部１３１にチャッキングされる。これにより、固定部１３は、本体部１を天井板５に埋め込んだ状態で固定する。
【００２７】
次に、本体部１が天井板５に固定された状態で、天井板５の下面に、内装シート６が貼付される。内装シート６は、天井板５の下面からフランジ部１１１の下面に及ぶように貼付される。内装シート６は、設置穴５０に対応し、フランジ部１１１の内径と同等の内径を有する貫通孔が形成され、平面パターン上、ケース部１１の内側壁に及ばないように貼付される。
【００２８】
次に、発光装置２が本体部１に取り付けられた状態で、図７に示すように、化粧枠部３が下方から本体部１に装着される。なお、図７に示す例では、取り付け部１６を介して発光装置２に電力を供給する配線４が図示されている。
【００２９】
化粧枠部３の装着では、図８に示すように、先ず片方のばね部（第１ばね部）３３Ｂが、第１突起部３３２と第２突起部３３３との間において、片方のフック部（第１フック部）１５Ｂに引っ掛けられ、本体部１に対して固定される。ばね部３３Ｂは、先端部３３１からフック部１５Ｂの間に挿入され、フック部１５Ｂにより変形され、弾性力によりフック部１５Ｂに引っ掛かる。ばね部３３Ｂは、この状態で、化粧枠部３は、片方の保持部（第１保持部）３４Ｂを回転軸としてフック部１５Ｂに対して相対的に回転され、天井板５に対して平行な状態近づく。
【００３０】
次に、図９に示すように、他方のばね部（第２ばね部）３３Ａが、第１突起部３３２と第２突起部３３３との間において他方のフック部（第２フック部）１５Ａに引っ掛けられる。ばね部３３Ａは、先端部３３１からフック部１５Ａの間に挿入され、フック部１５Ａにより変形され、弾性力によりフック部１５Ａに引っ掛かる。このとき、化粧枠部３は、天井板５に対してほぼ平行となっている。このように、反射板３２の高さＴ及び外径Ｗは、保持部３４Ｂを回転軸とする反射板３２の上端部の軌跡Ｑが発光装置２に接することなく化粧枠部３が回転し、容易にばね部３３Ａがフック部１５Ａに引っ掛けられるように調整されている（図１参照）。
【００３１】
次に、図１０に示すように、化粧枠部３が上方に移動されることにより、ばね部３３Ａ，３３Ｂは、突起部３３３がフック部１５Ａ，１５Ｂを通過し、傾斜部３３４においてフック部１５Ａ，１５Ｂに引っ掛けられる。これにより、化粧枠部３が本体部１に装着され、本発明の実施の形態に係る照明装置が建物の天井に設置される。
【００３２】
図１１に示すように、フランジ部１１１の下面に位置する内装シート６の貫通孔の端部６１は、化粧枠３１に覆われることにより、露出されて美観を損ねることがない。化粧枠３１は、反射板３２の外側から反射板の下端近傍まで延伸し、反射板３２の下端近傍において外側方向に屈曲する屈曲部３１１と、屈曲部３１１から外側且つ上方向に広がる拡張部３１２とを有する。また、化粧枠３１は、拡張部３１２の外周部において上方に屈曲することにより内装シート６に当接する当接部３１３を有する。
【００３３】
屈曲部３１１、拡張部３１２及び当接部３１３は、内装シート６に形成された貫通孔の端部６１を収容する空間Ｓを形成する収容部（３１１〜３１３）を構成する。収容部（３１１〜３１３）は、端部６１を空間Ｓに収容することにより、端部６１が適正に形成されない場合であっても、端部６１を露出させたり化粧枠３１を浮き上がらせたりすることない。よって収容部（３１１〜３１３）は、本発明の実施の形態に係る照明装置の設置後の審美性を向上させることができる。
【００３４】
一般的に、建物の建築時においては、内装を施工する前に照明装置が設置される。よって、化粧枠を有する一般的な埋め込み型の照明装置１Ｐでは、内装シート６を貼付する際、図１２（ａ）に示すように、照明装置１Ｐを天井板５から取り外す必要がある。このとき作業者は、板ばね等からなる固定部１３Ｐを窄ませ、照明装置１Ｐを天井板５の設置穴から抜き出し、配線４を照明装置１Ｐから取り外す。次に、図１２（ｂ）に示すように、照明装置１Ｐが取り外された状態で天井板５に内装シート６が貼付される。その後、図１２（ｃ）に示すように、再び照明装置１Ｐが天井板５に設置される。
【００３５】
一方、本発明の実施の形態に係る照明装置は、本体部１と化粧枠部３が別体に形成されることにより、建物の建築時、リフォーム時等であっても、化粧枠部３の脱着のみを行えばよく、設置の手間を低減することができる。
【００３６】
また、本発明の実施の形態に係る照明装置は、ばね部３３Ａ，３３Ｂが、フック部１５Ａ，１５Ｂに多段的に引っ掛かるように構成されることにより、化粧枠部３を本体部１に装着することが容易である。
【００３７】
また、本発明の実施の形態に係る照明装置は、ばね部３３Ａ，３３Ｂが、反射板３２とケース部１１の側壁との間に位置することにより、露出されることなく、照明装置の設置後の審美性を向上することができる。
【００３８】
（その他の実施の形態）
上記のように、本発明を実施の形態によって記載したが、この開示の一部をなす論述及び図面は本発明を限定するものであると理解すべきではない。この開示から当業者には様々な代替実施の形態、実施例及び運用技術が明らかとなろう。
【００３９】
例えば、既に述べた実施の形態において、照明装置が設置される場所は水平な天井板５に限るものでなく、壁や傾斜する天井等に埋め込まれることにより設置されてもよい。また、本体部１、化粧枠部３等の形状は、円筒状、リング状に限るものでなく、矩形、楕円形等であってもよい。
【００４０】
上記の他、本発明の実施の形態及び変形例を相互に応用した構成等、本発明はここでは記載していない様々な実施の形態等を含むことは勿論である。したがって、本発明の技術的範囲は上記の説明から妥当な特許請求の範囲に係る発明特定事項によってのみ定められるものである。
【符号の説明】
【００４１】
１  本体部
２  発光装置
３  化粧枠部
５  天井板
６  内装シート（シート）
１１  ケース部
１３  固定部
１５Ａ，１５Ｂ  フック部
１６  取り付け部
３１  化粧枠
３２  反射板
３３，３３Ａ，３３Ｂ  ばね部
３４Ａ，３４Ｂ  保持部
５０  設置穴
６１  端部
１１１  フランジ部
３１１  屈曲部（収容部）
３１２  拡張部（収容部）
３１３  当接部（収容部）
【図１】
2015207447.tif 000003
【図２】
2015207447.tif 000004
【図３】
2015207447.tif 000005
【図４】
2015207447.tif 000006
【図５】
2015207447.tif 000007
【図６】
2015207447.tif 000008
【図７】
2015207447.tif 000009
【図８】
2015207447.tif 000010
【図９】
2015207447.tif 000011
【図１０】
2015207447.tif 000012
【図１１】
2015207447.tif 000013
【図１２】
2015207447.tif 000014